(57)【要約】【課題】設置及び解体を簡便に行うことができる鉄道軌道用防音壁を提供する。【解決手段】鉄道軌道Ｒ内のレール３に取付金具１が取り付けられ、その取付金具１がレール３に対し着脱自在となされていることで、防音パネル２をレール３に対して着脱自在とすることができ、鉄道軌道Ｒにおいて防音壁１０の設置及び解体を簡便に行うことができる。またレール３が鉄道軌道Ｒにおいて列車が走行するために設けられたものであれば、既設のレール３に取付金具１を取り付け極めて簡便に防音壁１０を設けることができる。【選択図】        図１
2008214893.tif 000002
【特許請求の範囲】
【請求項１】
鉄道軌道内に設けられたレールに取付金具が着脱自在に取り付けられ、該取付金具を介してレール上に防音パネルが立設されていることを特徴とする鉄道軌道用防音壁。
【請求項２】
前記レールは、列車を走行させるためのレールであることを特徴とする請求項１に記載の鉄道軌道用防音壁。
【請求項３】
前記レールは、上面が平坦面となされた頭部と、該頭部より幅狭となされた縦リブを備えたものであって、前記平坦面と縦リブの両側面とを用いて取付金具が固定されたものであることを特徴とする請求項１又は２に記載の鉄道軌道用防音壁。
【請求項４】
前記レールは、平行に少なくとも二体が延設されたものであって、該二体の一方のレールに前記取付金具が取り付けられ、防音パネルと他方のレールとの間に補強材が設けられていることを特徴とする請求項１〜３のいずれかに記載の鉄道軌道用防音壁。
【請求項５】
前記一方のレールと前記他方のレールは、その間の少なくとも一部が絶縁体から形成されて電気的に絶縁されていることを特徴とする請求項４に記載の鉄道軌道用防音壁。
【発明の詳細な説明】
【技術分野】
【０００１】
本発明は、既設の鉄道軌道における改修工事や保線工事等において発生する騒音の伝播を防止する鉄道軌道用防音壁に関するものである。
【背景技術】
【０００２】
鉄道軌道において発生する騒音の伝播を防止する防音壁としては、例えばレール両側から所定の間隔をおいて所定の高さに設置された防音壁とレールとの間に防音壁より高さが低くかつ先端が車両と反対側に傾いた内側防音壁を設け、この傾斜上面は吸音性を備えている鉄道用防音壁が開示されている（例えば特許文献１）。
【０００３】
また、車輪走行する鉄道車両の在来線の鉄道軌道沿いに設けられる鉄道用防音壁であって、上記軌道の両側地盤上に設けられ、上記車輪車窓からの視界を妨げない高さ以下の立壁部からなって、その立壁部の前記軌道に向く面に吸音面を形成してその吸音面により徐行き車輪の転動音及びモーター等から発生する騒音を吸音するようにした鉄道用防音壁が開示されている（例えば特許文献２）。
【０００４】
【特許文献１】特開平５−１８７００５号公報
【特許文献２】特開２００４−１３２０６２号公報
【発明の開示】
【発明が解決しようとする課題】
【０００５】
しかしながら、特許文献１や特許文献２に記載されたような従来の鉄道軌道用防音壁では、例えば保線作業等において、簡便に防音壁を設置し且つ解体することが可能な構造とはなされておらず、かかる設置及び解体を簡便に行うことができる鉄道軌道における防音壁は従来なかったというのが現状である。
【０００６】
本発明は上記の如き課題に鑑みてなされたものであり、設置及び解体を簡便に行うことができる鉄道軌道用防音壁を提供せんとするものである。
【課題を解決するための手段】
【０００７】
上記目的を達成するため、本発明は以下のような構成としている。すなわち、本発明に係る鉄道軌道用防音壁は、鉄道軌道内に設けられたレールに取付金具が着脱自在に取り付けられ、該取付金具を介してレール上に防音パネルが立設されていることを特徴とするものである。
【０００８】
本発明に係る鉄道軌道用防音壁によれば、鉄道軌道内のレールに取付金具が取り付けられ、その取付金具がレールに対して着脱自在となされていることで、防音パネルをレールに対して着脱自在とすることができ、鉄道軌道において防音壁の設置及び解体を簡便に行うことができる。
【０００９】
また前記レールは、列車を走行させるためのレールであれば、既存のレールを用いて他にレールを設ける必要なく防音壁を設置することができ、防音壁の設置及び解体が更に簡便なものとでき好ましい。
【００１０】
また前記レールは、上面が平坦面となされた頭部と、該頭部より幅狭となされた縦リブを備えたものであって、前記平坦面と縦リブの両側面とを用いて取付金具が固定されたものであれば、取付金具を少なくとも三点で支持して固定することで防音壁を安定した取付状態とすることができ好ましい。
【００１１】
また前記レールは、平行に少なくとも二体が延設されたものであって、該二体の一方のレールに前記取付金具が取り付けられ、防音パネルと他方のレールとの間に補強材が設けられていれば、突風等で防音パネルに強い外力がかかった場合でも防音パネルが倒れる恐れを小さくでき好ましい。
【００１２】
また前記一方のレールと前記他方のレールは、その間の少なくとも一部が絶縁体から形成されて電気的に絶縁されていれば、一方のレールと他方のレールとの間に防音壁を設置しても絶縁がなされることで信号や踏切が誤動作を起こす恐れを無くすることができ好ましい。
【発明の効果】
【００１３】
本発明に係る鉄道軌道用防音壁によれば、鉄道軌道内のレールに取付金具が取り付けられ、その取付金具がレールに対して着脱自在となされていることで、防音パネルをレールに対して着脱自在とすることができ、鉄道軌道において防音壁の設置及び解体を簡便に行うことができる。
【発明を実施するための最良の形態】
【００１４】
本発明に係る最良の実施の形態について、図面に基づき以下に具体的に説明する。
【００１５】
図１〜図４は、本発明に係る鉄道軌道用防音壁の、実施の一形態を示すものであり、まず図１は鉄道軌道用防音壁が設置された状態での側面図である。鉄道軌道Ｒ内に、列車が走行するためのレール３が間隔をおいて二体設置され、レール３はその上を列車が通過すると共に複線の軌道であることから、二体で一組のものが二組並列された状態で設置されている。レール３には、取付金具１に遮音性を備えた防音パネル２が取り付けられることで防音壁１０が形成され、レール３に取付金具１を介して防音パネル２が取り付けられている。防音壁１０が設けられた側方では、保線区員Ｍが砂利の突き固め等の騒音を発する保線作業を行っており、その騒音の伝播を防音パネル２が防止するようにしている。かかる保線作業は夜間に行われるものであり、沿線に民家等がある場合には騒音に対する配慮は不可欠であり、また夜間のみや昼間の一時間のみ等といった時間的な制約が強い性質のものであるから、作業開始前における設置と、作業終了後における解体とが迅速且つ簡便に行うことができる鉄道軌道用防音壁が希求されてきている。
【００１６】
図２は、取付金具１の詳細を示す斜視図である。取付金具１は全体が鉄鋼材からなるものであり、レール３を挟持可能とするパネル取付部１１とレール挟持部１２とが備えられたものであり、パネル取付部１１には上下方向に延設されたパネル支持部１３と、パネル支持部１３の下端に設けられたパネル受け部１４とが溶接により一体に設けられている。パネル支持部１３のパネル取付部１１が設けられた反対側の面には、防音パネルを取り付けるための内面にねじ山が設けられたネジ孔１３１が上下方向に間隔をおいて二体設けられ、該二体が左右に間隔をおいて二組設けられ、計四体のネジ孔１３１が設けられている。レール３は、断面角丸矩形のレール頭部３３と枕木に固定される枕木取付部３４との間にレール頭部３３及び枕木取付部３４より幅狭となされた縦リブ３２が設けられたものであり、頭部３３の上面は平坦面３１となされている。
【００１７】
パネル取付部１１は、平坦面３１に接する上板部１１１と、上板部１１１から下方に延びる側板部１１２とを備え、側板部１１２は下方がレール３の縦リブ３２側にせり出されてレール頭部３３の側面３５及び縦リブ３２に接するように屈曲されたものである。レール挟持部１２は、上板部１２１と、上板部１２１から下方に延びる側板部１２２とを備え、こちらの側板部１２２も下方がレール３の縦リブ３２側にせり出されてレール頭部３３及び縦リブ３２とに接するように屈曲されているものである。上板部１１１にはボルトを挿通させるボルト孔１１３がレール３の延設方向に間隔をおいて二体設けられ、ボルト孔１１３はレール３の断面方向に長孔となされると共に、パネル支持部１３側の端部が屈折されている。上板部１２１には、内面にねじ山が設けられたねじ孔１２３がパネル取付部１１の上板部１１１に設けられたボルト孔１１３の間隔に対応して設けられている。
【００１８】
図３は、レール３に対する取付金具１及び防音パネル２の取り付けを示す縦断面図である。まず（ａ）において、レール３に対してパネル取付部１１が取り付けられるが、上板部１１１と下方がレール３の縦リブ３２側にせり出して屈曲された側板部１１２とがレール３の右半分に沿うような形状となされると共に、上板部１１１と側板部１１２のレール３と当接する部分については、レール３のキズ防止及びレール３への取付金具１の締付けを図ることができるよう、弾性体からなるパッキン材４が取り付けられている。またパネル支持部１３と上板部１１１との間には補強用の三角リブ１１４が設けられている。
【００１９】
次に（ｂ）において、パネル取付部１１の、上板部１１１の下面がレール３の平坦面３１と、側板部１１２の内側面がレール３の頭部３３の側面３５及び縦リブ３２の上方側面と、パッキン材４を挟んで当接されると共に、上板部１１１のレール３の平坦面３１から断面方向の外側に張り出された部位に設けられたボルト孔１１３にアイボルトであるボルト５１が挿通される。この挿通されたボルト５１のねじ部が、レール挟持部１２の上板部１２１に設けられたねじ孔１２３に螺入される。パネル取付部１１へのレール挟持部１２の取り付けに際しては、まずボルト孔１１３に挿通したボルト５１を緊結することなくパネル取付部１１に対してレール挟持部１２がボルト孔１１３に沿って摺動自在な状態にしておき、レール挟持部１２をレール３側に移動させてレール３の縦リブ３２及び側面３５に側板部１２２を当接させてボルト５１をねじ孔１２３に緊結させるのが好ましい。取付金具１は、パネル取付部１１とレール挟持部１２とがボルト５１により一体となされ、且つ側板部１１２及び側板部１２２の下方が縦リブ３２側にせり出されていることで上方へ強い外力がかかったとしてもレール３から外れないようになされる。
【００２０】
ここで、パッキン材４を上板部１１１、側板部１１２及び側板部１２２にて圧縮するようにボルト５１を緊結すれば、パッキン材４の付勢力によりレール３に取り付けられた取付金具１のぐらつきが抑えられ好ましい。またボルト５１はアイボルトであるから、工具等必要なくアイボルトのリング部分によって螺着及び緊結、並びに脱離させるのが可能であり、取付時の作業及び解体時の作業が迅速且つ簡便となるようになされている。
【００２１】
最後にレール３に取り付けられた取付金具１に防音パネル２を取り付ける。防音パネル２は、パネル体２１の周囲に枠体２２が枠組みされて形成されたものであり、防音パネル２の下端がパネル受け部１４上に載置されると共に、防音パネル２の左右いずれかの縦方向の枠体２２に挿通されたアイボルトであるボルト５２が、パネル支持部１３に設けられたネジ孔１３１に螺着されると共に緊結されてパネル支持部１３に固定される。ボルト５２としてアイボルトを用いることで、ボルト５１と同様にリング部分を持ってボルト５２の螺着及び緊結を行うことができ、工具等必要なく取り付けが簡便且つ迅速なものとでき、また解体の際も同様にリング部分を持って脱離させることで迅速且つ簡便に行うようにできる。
【００２２】
更にまた、パネル受け部１４の上面は、パネル取付部１１の上板部１１１の下面の高さより低くなされている。かかる構成により、パネル受け部１４により下方から受けられた防音パネル２の下端部分がレール３の平坦面３１より下方に位置するようになされ、音源からの騒音が直進して漏洩するのが防がれるようになされている。
【００２３】
レール３は、鉄道軌道Ｒ内の列車が走行するレールを用いることで、簡便に取付金具１及び防音パネル２の取り付けを図ることができるが、鉄道軌道Ｒに沿って別体で設けたものを用いてもよく、また列車が走行するレール以外で鉄道軌道Ｒの近傍に設置された既設のレール状のものを用いる等、適宜のレールを用いて形成することができる。
【００２４】
防音パネル２は、アルミ−樹脂積層板をパネル本体２１としたものに限定されず、吸音材を内装して遮音性と吸音性とを具備させたものや、透光板を用いて採光性を備えたものとしてもよい。またパネル本体２１の周囲に枠体２２を形成したものでなくパネル本体２１のみを単独で用いるようにしてもよいが、レール３に取り付けることで、余りに重量の嵩むものは軌道破壊に繋がる恐れがあることから、強度が高く軽量なアルミ−樹脂積層板をパネル本体２１とし、同じく強度が高く軽量なアルミニウム押出形材を枠体２２として用いることで、防音パネル２を軽量で且つ極めて高い強度とすることができる。
【００２５】
図４は、形成された鉄道軌道用防音壁を示す正面図である。レール３に例えば２ｍ間隔といった所定間隔で取付金具１が取り付けられ、その取付金具１を介して防音パネル２が取り付けられている。防音パネル２は、アルミ−樹脂積層板からなるパネル本体２１の周囲にアルミニウム押出形材からなる枠体２２が取り付けられているものであるが、防音パネル２は二体の防音パネル２Ａ及び２Ｂの枠体２２間にヒンジ２３が取り付けられることで水平方向に回動自在に形成されたものである。かかるヒンジ２３により、輸送時及び保管時にはヒンジ２３により折り畳んで半分の面積とし、使用時には展開して用いることができる。防音パネル２の枠体２２の上枠材２２１には、水平方向に摺動自在となされ下方に開口された断面コ字状の接続部材２４が設けられ、接続部材２４を上枠材２２１に沿って摺動させ、展開時には防音パネル２Ａ及び２Ｂ間に跨って接続部材２４が位置するようにして防音パネル２の展開状態を維持するようにしており、更に接続部材２４を固定するアイボルトであるボルト５３が接続部材２４と上枠材２１１とに螺着され接続部材２４の位置が固定されている。更にまた、隣接する防音パネル２間にも跨って接続部材２４が配置されることで、防音パネル２の上端付近が前後にずれないようになされている。
【００２６】
防音パネル２の取付時においては、防音パネル２Ａ及び２Ｂをヒンジ２３を用いて展開し、取付金具１に上述の方法にて取り付けた後、接続部材２４を水平方向に摺動させて防音パネル２Ａ及び２Ｂ間、並びに隣接する防音パネル２間に跨るように位置させて、ボルト５３を螺着することで堅牢な構造の鉄道軌道用防音壁を形成することができる。
【００２７】
図５は、本発明に係る鉄道軌道用防音壁の、他の実施形態を示す側面図である。まず（ａ）において、レール３は列車が走行するためのレール３であり、レール３Ａ及び３Ｂが列車のゲージに合わせて間隔をおいて平行に設置されたものである。防音パネル２は取付金具１を介して二体のレールの内、一方のレール３Ａに取り付けられたものであるが、防音パネル２の上下方向の中程に回動軸６２を備えた軸支部材６３が取り付けられ、他方のレール３Ｂに取り付けられた同じく回動軸６２を有する支持金具６４と、軸支部材６３との間に合成樹脂製のパイプである補強材６１が取り付けられて防音パネル２の補強がなされたものである。補強材６１は、防音パネル２とレール３Ｂとの間に筋交い状に設けられてレール３Ａから立設された防音パネル２を補強すると共に、回動軸６２により位置合わせが簡便に行うことができるようになされている。
【００２８】
（ｂ）は、取付金具１、軸支部材６３及び支持金具６４付近の詳細を示す側面図である。取付金具１はレール３の平坦面３１及び両の側面３５を囲んで当接するようになされた断面コ字状の金具本体１５と、金具本体１５と一体に設けられたパネル受け部１４とを備えたものであり、レール３と金具本体１５の内面との間にはパッキン材４が設けられている。取付金具１と防音パネル２とは、枠体２２とパネル受け部１４とに挿通されたボルト５４により固定されている。軸支部材６３は断面Ｌ字状のアングル材であり、断面Ｌ字状を形成する一方のプレート６３１が枠体２２にボルト５５によって固定されると共に、他方のプレート６３２が背後に突出されて、ボルトである回動軸６２により補強材６１が軸支されている。
【００２９】
軸支金具６３は、防音パネル２において比較的強度が高められた枠体２２に取り付けるのが好ましいが、パネル本体２１に取り付けるようにしてもよい。また補強材６１は適宜の材料を用いて形成することができるが、防音パネル２がレール３Ａと電気的に接続される可能性がある場合には、補強材６１を導電体から形成した場合には補強材６１によりレール３Ａとレール３Ｂとが電気的に導通されて信号の作動に影響が生じることから、合成樹脂等の絶縁体を用いるのが好ましい。
【００３０】
防音パネル２の取り付けにおいては、取付金具１が上方から被せるのみでレール３Ａに取り付け可能となされていることから、防音パネル２を取付金具１に予め固定した状態で設置現場に持ち込み、レール３Ａに取付金具１の金具本体１５を上方から被せた上で軸支部材６３に補強材６１を取り付けるのが簡便であり好ましい。尚、取付金具１は、図２に示した如きレール３を左右から挟持するものを用いるようにしてもよい。
【００３１】
支持金具６４は下方に開口した断面コ字状の金具であり、本体６４１がレール頭部３３の平坦面３１及び両の側面３５を囲むと共に、断面コ字状を形成する内面にパッキン材４が取り付けられ、パッキン材４を挟んで三方からレール頭部３３に当接されるようになされている。また本体６４１はいずれか一方が下方に突出されると共に、縦リブ３２方向に進退自在となされたボルト６４２が螺着され、本体６４２をレール３Ｂに被せた後、ボルト６４２を縦リブ３２側に進出させることで支持金具６４がレール３Ｂから外れるのを防ぐようになされている。
【００３２】
更に支持金具６４には、補強材を取り付ける補強材取付部６４３が一体に設けられており、補強材取付部６４３にはボルトである回動軸６２により補強材６１が回動可能に取り付けられている。補強材取付部６４３は補強材６１が取り付け可能であればその形状は適宜でよいが、本実施形態の如く筋交い状に設けられたパイプ状の補強材６１の端面を斜め下方から支持する形状としておけば、補強材６１を回動軸６２により取り付ける際に安定した作業を行うようにでき好ましい。
【００３３】
防音パネル２に対して補強材６１を設けるには、まずレール３Ａに立設する防音パネル２に予め軸支部材６３を取り付けておき、軸支部材６３に回動軸６２により補強材６１を回動可能に取り付け、更に他方のレール３Ｂに支持金具６４を取り付けて補強材６１を回動させて他端を支持金具６４の位置に移動させて支持金具６４に回動軸６２を挿通させて取り付けが行われる。
【図面の簡単な説明】
【００３４】
【図１】本発明に係る鉄道軌道用防音壁の、実施の一形態を示す側面図である。
【図２】取付金具の一例を示す斜視図である。
【図３】レールへの取付金具の取り付けを説明する断面図である。
【図４】本発明に係る鉄道軌道用防音壁の、実施の一形態を示す正面図である。
【図５】本発明に係る鉄道軌道用防音壁の、他の実施形態を示す側面図である。
【符号の説明】
【００３５】
１    取付金具
１１  パネル取付部
１２  レール挟持部
２    防音パネル
３    レール
３１  平坦面
３２  縦リブ
３３  頭部
６１  補強材
１０  防音壁
【図１】
2008214893.tif 000003
【図２】
2008214893.tif 000004
【図３】
2008214893.tif 000005
【図４】
2008214893.tif 000006
【図５】
2008214893.tif 000007